(57)【要約】本発明は、戸棚又は家庭用器具、特に壁取付け型の戸棚に関し、回動装置(４)によってその上でドア(３)が閉じ位置から開き位置に回動する本体(２)と、本体(２)に対向するドア(３)の内側に固定されて物体を格納するための少なくとも１つのホルダ(６)とを備え、ドア(３)はガイド装置(７)に沿って、ドア(３)の開き範囲内に下降することができる。本発明は更に、戸棚(１)又は家庭用器具を開閉する方法に関する。【選択図】図３
2020509269.tif 000002
【特許請求の範囲】
【請求項１】
特に吊り戸棚としての戸棚(１)又は家庭用器具であって、ドア(３)が閉じ位置から開き位置まで回動装置(４)を介して回動可能である本体(２)を有し、物体を格納するための少なくとも１つのホルダ(６)が、本体(２)に対向するドア(３)の内側に固定されている戸棚(１)又は家庭用器具において、
ドア(３)はガイド装置(７)に沿って、ドア(３)の開き範囲内に下降することができる、戸棚又は家庭用器具。
【請求項２】
ガイド装置(７)は、線形ガイドとして構成される、請求項１に記載の戸棚又は家庭用器具。
【請求項３】
第１の遮断装置(１０、１１)が設けられ、該第１の遮断装置は、ドア(３)の閉じ範囲内でのドア(３)の下降を防ぐ、請求項１又は２に記載の戸棚又は家庭用器具。
【請求項４】
第１の遮断装置は、少なくとも閉位置と６０°の開き角度、特に最大７０°の範囲の閉じ範囲にて、ドアの下降を防ぐ、請求項３に記載の戸棚又は家庭用器具。
【請求項５】
第２の遮断装置(１０、１１)が設けられて、ドア(３)が下降位置にあるときに開き位置から閉じ範囲にドアが回転するのを防止する、請求項１乃至４の何れかに記載の戸棚又は家庭用器具。
【請求項６】
ドア(３)は上昇位置にて力アキュムレータ(１８、３２)によって予め張力を掛けられる、請求項１乃至５の何れかに記載の戸棚又は家庭用器具。
【請求項７】
ドア(３)を上昇させるために配備された力アキュムレータ(１８、３２)の力は設定可能である、請求項６に記載の戸棚又は家庭用器具。
【請求項８】
力アキュムレータ(３２)はばねとして構成され、ばねの予めの張力を変更する設定手段(３３、３５)が配備された、請求項６又は７に記載の戸棚又は家庭用器具。
【請求項９】
ガイド経路(３０)が設けられ、力アキュムレータ(３２)によって予め張力を掛けられたガイドローラ(３１)又はガイド要素はガイド経路に沿って移動可能であり、ガイド経路(３０)は力アキュムレータ(３２)の力を設定するように調整可能である、請求項６又は７に記載の戸棚又は家庭用器具。
【請求項１０】
底部パネル(２２)及び少なくとも１つの棚が、本体(２)の下部領域に配置され、ホルダ(６)用の受け用の自由空間が上部領域に形成される、請求項１乃至９の何れかに記載の戸棚又は家庭用器具。
【請求項１１】
ホルダ(６)は棚、バスケット、フック、及び/又は保持ブラケットである、請求項１乃至１０の何れかに記載の戸棚又は家庭用器具。
【請求項１２】
ガイド装置(７)はガイドレールであり、該ガイドレール上にキャリッジ(９、１９)が移動可能に保持される、請求項１乃至１１の何れかに記載の戸棚又は家庭用器具。
【請求項１３】
回動装置(４)は少なくとも２つのヒンジを備え、該ヒンジは垂直方向に互いに離れて配置された、請求項１乃至１２の何れかに記載の戸棚又は家庭用器具。
【請求項１４】
ヒンジはドア(３)上に固定され、及び/又はガイドレールに沿ってキャリッジ上で移動可能である、請求項１３に記載の戸棚又は家庭用器具。
【請求項１５】
ロック装置又はラッチ装置が配備され、該ロック装置又はラッチ装置によって、ドア(３)は下降位置にラッチされ又はロックされる、請求項１乃至１４の何れかに記載の戸棚又は家庭用器具。
【請求項１６】
自己引込み器が配備され、該自己引込み器によってドア(３)が開き位置から閉じ位置に回動可能である、請求項１乃至１５の何れかに記載の戸棚又は家庭用器具。
【請求項１７】
回動装置(４)上の本体(２)上に保持されたドア(３)を有する戸棚(１)又は家庭用器具を開閉する方法であって、
水平方向にある閉じ位置から第１の開き位置にドア(３)を回動させるステップと、
第１の開き位置から、第１の開き位置の下方に配置された第２の開き位置にドア(３)を下降させるステップと、
第２の開き位置から第１の開き位置にドア(３)を上昇させるステップと、
第１の開き位置から閉じ位置にドア(３)を回動させるステップを備える、方法。
【請求項１８】
自己引込み器が配備され、該自己引込み器によってドア(３)が第１の開き位置から閉じ位置に自動的に移動する、請求項１７に記載の方法。
【請求項１９】
力アキュムレータ(１８、３２)が配備され、該力アキュムレータによってドア(３)は第２の開き位置から第１の開き位置に自動的に移動する、請求項１７又は１８に記載の方法。
【発明の詳細な説明】
【技術分野】
【０００１】
本発明は、特に吊り戸棚としての戸棚又は家庭用器具に関し、ドアが閉じ位置から開き位置まで回動装置を介して回動可能である本体を有し、物体を格納するための少なくとも１つのホルダが、本体に面するドアの内側に固定されている。本発明は戸棚又は家庭用器具の開閉方法にも関する。
【背景技術】
【０００２】
ドイツ公開公報3215572号は、垂直ガイド溝内で案内され、ギアリングによって下降及び上昇可能である下降可能な挿入バスケットを有する壁ユニットを開示している。この問題は、壁ユニットの上部コンパートメントへのアクセスが不十分であり、下降後にアクセスがより容易になるような壁ユニットによって解決される。しかし、このような壁ユニットの場合、壁ユニットの下の領域が自由である必要があり、そのため、壁ユニットが下降可能な挿入バスケットと衝突しないことが問題である。更に、特に壁ユニットの下部コンパートメントでは、頻繁にアクセスする必要があるグラスやプレートなどの重い物体がしばしば保管されるため、駆動部がある場合は大きな重量負荷を移動する必要がある。
【０００３】
従って、本発明の目的は、特に上部領域で戸棚又は家庭用器具の格納スペースをより適切に使用することができる戸棚又は家庭用器具を提供し、且つ戸棚又は家庭用器具を開閉する方法を提供することにある。
この目的は、請求項１の特徴を有する戸棚又は家庭用器具、及び請求項１７の特徴を有する方法によって達成される。
【発明の概要】
【０００４】
本発明に従った戸棚又は家庭用器具にて、ドアは本体に対し回転可能であり、閉じ位置から第１の開き位置に回転可能である。この第１の開き位置はドアの開き範囲内に位置し、ドアは、ガイド装置に沿って開き範囲内に下降することができる。従って、物体を格納するための少なくとも１つのホルダはユーザのアクセス範囲に移動されて、該ユーザは物体をホルダから取り外したりホルダに戻すことができる。その後、ドアはガイド装置を介して再び持ち上げられ、開き範囲から閉じ位置に回動される。これにより、そうでなければアクセスしづらい例えば、戸棚又は家庭用器具の上部領域を有効に活用することができる、何故なら上部領域がもはや人のアクセス範囲ではないからである。
【０００５】
ガイド装置は、線形ガイドとして構成されるのが好ましい。線形ガイドは、この場合１つ以上のレールを含み、該レールは互いに対して移動可能である。或いは、ガイドレールを１つだけ設けることもでき、該ガイドレールに沿って、ローラ本体又はローラを介してキャリッジが移動され、ドアを垂直方向に直線的に移動させることができる。
【０００６】
１つの好ましい実施形態に従って、第１の遮断装置が設けられており、これは、ドアの閉じ範囲内でのドアの下降を防ぐ。内側にホルダを有するドアは、先ずホルダが本体または本体の棚にぶつからないように、所定の開き位置に到達する必要がある。第１の遮断装置は、少なくとも閉位置と６０°の開き角度、特に最大７０°の範囲の閉じ範囲にて、そのような打撃を避けるために、ドアの下降を防止することができる。ドアが下降位置にあるときに閉じ範囲でドアが回転するのを防止する第２の遮断装置も設けるのが好ましい。そのような遮断装置は、機械的手段、例えばストッパブラケットを介して形成することができるが、電子制御手段も遮断装置として使用され得る。
【０００７】
ドアは上昇位置にて力(ちから)アキュムレータによって予め張力を掛けられるのが好ましい。バネ要素、特にガス圧バネまたは他のバネは、接続手段を介してドアに連結された力アキュムレータ又は釣合い錘として使用され得て、釣合い錘はドアの下降中に上昇する。ドアは、力アキュムレータによって特定の貨物積載量まで自動的に上昇位置に移動することもでき、ドアが上昇位置から下降位置に引き下げられたときのみ、ユーザは力をかける必要があり、上げるよりも下げる方が簡単なので、取り扱いが簡単になる。力の補助はドアを上昇位置に上げることのみに使用されるのではなく、例えばドアに作用する自己引込み装置によって上昇位置から閉じ位置にドアを移動させるにも使用される。
【０００８】
更なる実施形態において、上昇位置でドアに予め張力を掛けるための力アキュムレータは、力に対して設定可能である。従って、ドアの重量及び/又は荷物の負荷から生じる重量の力が補償される。従って、ドアを最終的に平衡状態にしたり、平衡状態に維持したりするために、異なるドア寸法及び/又は公差に関連して逸脱したばね力も夫々補償される。この目的から、対応する制御要素が力アキュムレータに配備され、力アキュムレータは例えばばねアセンブリ又はばね、特に圧縮ばねとして構成される。或いは又は更に、ガイド経路は、ガイド要素、特にガイド経路に沿って移動可能であり、作用する力に関して力アキュムレータによってガイド経路に向かって張力を掛けられたガイドローラを変更するように、位置を調整することができる。
【０００９】
戸棚や家電用器具の内部を特に効率的に利用するには、底部パネル及び少なくとも１つの棚は、本体の下部領域に配置され、一方、ドアのホルダ用の受けは上部領域に形成される。特に戸棚が台所の壁ユニットとして使用される場合、ユーザのアクセスは通常、下部領域で可能である。次に、底部パネルと少なくとも１つの棚を使用して、既知の家具のように、ドアを開いた後にアクセスできる物体を格納することができる。棚の代わりに、ドアと一緒に移動する１以上のホルダ用の受けを、例えば１.８０ｍを超える高さから上部にのみ設けることができる。この場合、ホルダは、棚、バスケット、フック、または保持ブラケットとして形成でき、物体を保持及び格納するための全ての装置はドアに固定され得る。
【００１０】
ドア用の回転装置は、垂直方向に互いに離間した少なくとも２つのヒンジを含むのが好ましい。この場合、ヒンジは、単関節ヒンジまたは多関節ヒンジ、特に４関節ヒンジ又は７関節ヒンジとして形成することができる。直線的に作用する機構とドアを回転させる回転機構の組み合わせも使用可能である。互いに間隔を空けて配置されたヒンジは、ドアまたは本体に交互に固定され、ガイドレールに沿って移動可能なキャリッジに夫々他の部分に移動可能に固定される。
【００１１】
回転装置と線形ガイドの組み合わされた構成によって、ドアの開閉は、ユーザが操作ハンドルから操作する手を離して再度握る必要なく、連続的な移動順序で実行することができる。従って、ホルダに保存されている物体への素早いアクセスも可能になる。
【００１２】
更なる実施形態において、ロック装置又はラッチ装置が配備され、該ロック装置又はラッチ装置によってドアは下降位置にロック可能である。そのようなロック装置又はラッチ装置はキャッチフックのような機械的なキャッチ要素によって形成され、ドアを所定位置での力アキュムレータの力に抗して下降位置に保持し、ユーザはドアを解放でき、自動的に再び上に移動しない。機械的なキャッチ手段の代わりに、制御手段がまた使用されて、例えばボタンを押すことでドアを下降位置に確実に固定することができる。
【００１３】
開き位置から閉じ位置へのドアの回転は、完全に、または少なくとも部分的に任意で自己引込み器を介して行うこともでき、該自己引込み器は、ドアを閉じた位置に機械的に予め張力を掛ける力アキュムレータを備えており、自動的に閉じ動作を実行することができる。自己引込み器に代えて、ドアを閉じるのに電動駆動部が配備される。
【００１４】
本発明に従った方法にて、第１にドアが水平方向の閉じ位置から本体に対して第１の開き位置に回動される。続いて、ドアが第１の開き位置から第２の開き位置に下降され、第２の開き位置は、第１の開き位置の下に配置され、ドアの上部領域のホルダに設けられた物体へのアクセスを可能にする。従って、ドアは、第２の開き位置から上昇して再び第１の開き位置に戻され、その後、第１の開き位置から閉じ位置に回転することができる。ドアの移動は、付随的に手動でのみ実行でき、付随的に１つ以上の力アキュムレータによって補助される。ドアを上昇させるための力アキュムレータを配備することができ、それにより、ドアは自動的に第２の開き位置から第１の開き位置に移動する。自己引込み器を付随的に設けることもでき、これにより、ドアが第１の開き位置から閉じ位置に自動的に移動して、取り扱いが簡単になる。この目的から、減衰装置が更に付随的に接続されて、ドアが閉じ位置に達する前にドアの閉じ動作を直ぐに減衰することができる。
【図面の簡単な説明】
【００１５】
本発明は添付図面を参照して例示的な実施形態に基づいて、以下により詳細に説明される。
【図１】本発明に従った戸棚の斜視図を示し、ドアを部分的に省いている。
【図２】図１の戸棚の斜視図であり、ドアは第１の開き位置にある。
【図３】図１の戸棚の斜視図であり、ドアはより低い第２の開き位置にある。
【図４】図３の家具要素の平面図である。
【図５】図２の戸棚の斜視図である。
【図６】図１の戸棚の回動装置の平面図であり、閉じ位置にある。
【図７】図６の回動装置の詳細図であり、第１の開き位置にある。
【図８】図１の戸棚の斜視図であり、後ろから見ている。
【図９】ドアを上昇させる力アキュムレータ用の引きケーブルの詳細図である。
【図１０】ドアを上昇させる力アキュムレータ用の引きケーブルの詳細図である。
【図１１Ａ】第１の例示的な実施形態の機能原理の図である。
【図１１Ｂ】第１の例示的な実施形態の機能原理の図である。
【図１２Ａ】第２の例示的な実施形態の機能原理の図である。
【図１２Ｂ】第２の例示的な実施形態の機能原理の図である。
【図１３Ａ】第３の例示的な実施形態の機能原理の図である。
【図１３Ｂ】第３の例示的な実施形態の機能原理の図である。
【図１４Ａ】第４の例示的な実施形態の機能原理の図である。
【図１４Ｂ】第４の例示的な実施形態の機能原理の図である。
【図１５Ａ】修正された力アキュムレータを有する更なる例示的な実施形態の図である。
【図１５Ｂ】修正された力アキュムレータを有する更なる例示的な実施形態の図である。
【図１５Ｃ】修正された力アキュムレータを有する更なる例示的な実施形態の図である。
【図１６Ａ】ドアを上昇させる力の設定の実施形態の図である。
【図１６Ｂ】ドアを上昇させる力の設定の実施形態の図である。
【発明を実施するための形態】
【００１６】
戸棚１は、例えばキッチンユニット上の壁ユニットとして設置できる本体２を備えている。或いは、本体２は、家庭用器具、例えば冷蔵庫にも使用できる。ドア３は、本体２に回動可能に取り付けられ、ドア３は板状に形成され、外側にハンドル要素８を備える。その間にブラケット５が設けられた２つのヒンジ４を有する回動装置がドア３に固定されている。ドア３の内側には、物体を格納するために使用されるバスケット又は格子の形のホルダ６が設けられている。ドア３と一緒に移動することができるこれらのホルダ６のうちの１つまたは複数を、上部領域、即ちドアの上半分に設けることができる。本体２の下部領域では、物体は本体２の底部パネルまたは棚（図示せず）に配置することができる、何故ならユーザが立っているときに、ユーザは下部領域にもアクセスできるからである。
【００１７】
図２にて、ドア３は、閉じ位置から開き位置、即ち垂直軸の周りに実質的に水平に回動し、回動動作は、回動動作として正確に実行される必要はなく、回動動作と水平スライド運動の重ね合わせでもある。ドア３の開き位置では、底部パネル２２を有する本体２の下部領域がアクセス可能である。物体をホルダ６から取り出すか、ホルダ６に導入する場合、図３に示すように、ドア３は下げられる。この目的のために、互いに間隔を空けた２つのヒンジ４は、ガイドレール７に沿って垂直に変位し、ドア３は、図２に示された上昇位置から図３に示された下降位置に移動され、その結果、ホルダ６は、ユーザにとってよりアクセスしやすくなる。ガイドレール７に沿った垂直方向のスライド移動は、例えば、２０ｃｍから８０ｃｍの間であり得る。ドア３を閉じるには、ドア３を再びガイドレール７に沿って持ち上げてから、開き位置から閉じ位置へと回動させる。
【００１８】
図４には、開きドア３を有する戸棚１の平面図を示す。ホルダ６がドア３と一緒に移動し、ホルダ６が本体２の完全に外側に配置されている場合にのみドア３の下降が起こることが認識され、底部パネル２２、その上に置かれた物体、または棚(図示せず)との衝突を避ける。
底部パネル２２に加えて、本体２はまた、２つの側壁２０の間に配置された上部パネル２３を含む。側壁２０、底部パネル２２及び上部パネル２３は、側壁２０の後部前縁から間隔を空けて設置された後壁２１によって後側で互いに接続されており、後壁２１の背後にある要素、例えば力(ちから)アキュムレータのためのスペースを提供する。
【００１９】
図５にて、ドア３が開き位置で示され、２つのヒンジ４が認識可能であり、該ヒンジ４は図示の例示的な実施形態ではヒンジ部４０を使用してドア３に固定されている。ヒンジ部４０に対して回動可能な第２ヒンジ部４１は、ガイドレール７に沿って上下方向に移動可能な上部キャリッジ９及び下部キャリッジ１９に固定されている。この場合、ガイドレール７は、本体２の側壁２０の前方領域に固定されている。２つのキャリッジ９と１９の代わりに１つのキャリッジのみを付与することも可能である。遮断ブラケット１０が、ガイドレール７に隣接して配置されており、ドア３が下降位置で閉じ方向に回動するのを防止している。ドア３が図５に示す位置から垂直方向に下に移動するとすぐに、ドア３は、ホルダ６が本体２、棚、または底部パネル２２内の物体と衝突することを避けるために、閉じ方向に所定の開き角度まで旋回するだけである。
【００２０】
ドア３の遮断装置の機能が、図６と図７を参照してより詳細に説明される。図６では、ドア３は閉じ位置で示されており、レバー１１は遮断ブラケット１０の端面の上方に配置され、ドア３の閉じ位置への下降、及び閉じ位置と第１の開き位置との間の開き領域が防止される。遮断ブラケット１０の端面はレバー１１のストッパを形成する。図７に示すように、ドア３が閉じ位置から第１の開き位置に開いた場合、ヒンジ部４０はヒンジ部４１に対して回動し、遮断ブラケット１０の端面がレバー１１ともはや重ならないようになるまで、ドラッグレバー４２を介して側壁２０と平行にレバー１１を引く。従って、遮断装置は、遮断ブラケット１０の端面及びレバー１１から解放され、これは例えば、閉じ位置から７０°離れた角度範囲で行われ、ドア３を閉じ位置から約７０°開くと、ドア３の下降が先ず可能になる。従って、ユーザは、回動装置がヒンジ４とともにガイドレール７に沿って移動することにより、ハンドル要素８を引いてドア３を下げることができる。遮断ブラケット１０は、ドア３の移動経路全体に亘って下向きに延び、遮断ブラケットの前側は、ドア３が下降位置で閉じ方向に回動するのを防ぐ第２の遮断装置を形成する。図７に示すように、レバー１１を下げると、レバー１１は遮断ブラケット１０の前面に沿って移動し、ドア３は、図示の位置から閉じ方向にさらに移動することが防止される。従って、ドア３は、例えば、５０°から進行して最大開き位置までの特定の開き範囲でのみ下方に移動することができ、最大開き位置は例えば８０°と１１０°の間の範囲であり、７０°におけるのが好ましい。ドア３は、上昇位置でのみ閉じ方向に戻すことができ、レバー１１は、遮断ブラケット１０の上端面を超えて移動する。この場合、遮断ブラケット１０の端面は傾斜して形成されて、閉じ中にドア３を僅かに持ち上げる。
【００２１】
戸棚１のドア３は、上昇位置で予め張力が掛けられている。この目的のために、引きケーブル１３を介して移動可能な釣合い錘１８が後壁２１の後ろに配置されている。釣合い錘１８は、対向する側壁２０に設けられたレール２４に沿って本体２の後側で案内される。更に、釣合い錘１８は引きケーブル１３の中央に吊り下げられて、引きケーブル１３は、ホルダに回転可能に取り付けられた第１の偏向ローラ１６及び第２の偏向ローラ１７を介して後側で案内される(図９)。
【００２２】
図５に関連して図１０に示すように、引きケーブル１３は後壁２１によって案内され、更なる偏向ローラ１５を介して偏向され、キャリッジ１９に配置された締結要素１４に固定される。ドア３の下降時に、釣合い錘１８は引きケーブル１３を介して上昇し、釣合い錘１８は力(ちから)アキュムレータを形成し、該力アキュムレータは上昇位置にてドア３に予め張力を掛ける。引きケーブル１３の長さは、調整装置を介して設定され得る。更に、ストッパ要素１２と相互作用するストッパがキャリッジ１９に設けられ、ドア３の上昇はストッパまでであり、停止位置でドア３を閉じ方向に回転させることができる。停止位置の調整を実行できるように、調整可能にストッパを形成することもできる。
【００２３】
釣合い錘１８によって力(ちから)アキュムレータを形成する代わりに、勿論、他のばね要素、特にガス圧ばね、コイルばね、又は他のばね装置が用いられて、ドア３に上向きに予め張力を掛ける。ドア３への張力掛け、例えば、ドア３に最大１０ｋｇの重量を載せることが可能であるように選択され、ドア３は依然として上方に張力が掛けられる。従って、ドア３は、力アキュムレータを介して、下降位置から上昇位置へ自動的に移動することもできる。ストッパに達する前に、更に減衰装置が設けられて、垂直方向の上方への移動中の大きな衝撃を避けることができる。
【００２４】
図１乃至図１０の例示的な実施形態の戸棚１の機能原理が図１１Ａ及び図１１Ｂに概略的に示される。ガイドレール７が本体２上に設けられて、２つのヒンジ４がガイドレール７に沿って移動可能に保持される。ヒンジ４によって、ドア３は閉じ位置から第１の開き位置へ水平方向に回動して開くことが可能になる。例えば７０°と１１０°の間の範囲であるこの第１の開き位置から、図１１Ｂに示すように、ドア３は下降する。下降位置にて、物体はホルダ６上に除去され又は導入され、その後ドア３は下降した第２の開き位置から第１の上部開き位置に戻され、そこからドア３を回転させることにより閉じ位置に動かされる。
【００２５】
図１２Ａ及び図１２Ｂに示すように、ガイドレール７は、本体２ではなくドア３に配置することもできる。次に、２つのヒンジ４は、本体２の側壁に固定され、垂直方向には動かされない。むしろ、図１２Ａ及び図１２Ｂに示すように、ガイドレール７はドア３と一緒に動かされる。そうでなければ、ドア３を開閉する方法は、前述の例示的な実施形態のように行われる。
【００２６】
戸棚の更なる実施形態が図１３Ａ及び図１３Ｂに示され、少なくとも１つのヒンジ４用の第１のガイドレール７が本体２に設けられ、さらに少なくとも１つの更なるヒンジ４用の第２のガイドレール７がドア３に設けられている。ドア３がヒンジ４を介して第１の開き位置に回動すると、図１３Ｂに示すようにドアを引き下げることができる。ドア３の下降時に、少なくとも１つの上部ヒンジ４は、本体２に固定されたガイドレール７に沿って移動し、下部ガイドレール７は、静止状態に配置された下部ヒンジ４に対して垂直に移動する。図１３Ａ及び図１３Ｂに示す解決策は、第１の開き位置でのヒンジ４のより大きな間隔により、たとえ２つのガイドレール７の配置により構成費用がわずかに増加したとしても、レバー比はより良い。
【００２７】
本体２の更なる実施形態が図１４Ａ及び図１４Ｂに示され、ドア３を第１の開き位置に回転させてから、下降させることができる。この例示的な実施形態において、２つのヒンジ４が付与されて、本体２上に固定される。ここで、ドア３が図１４Ｂの上昇位置から下降位置に下げられると、ヒンジ４は本体２上の所定の位置に固定されたままであり、固定レール７０は上部ヒンジ４に留まる。ガイドレール７は、固定レール７０に対してドア３とともに下方に移動する。従って、ガイドレール７及び更なるレール７０は、引出しガイドを形成し、これは、２つ又は３つのレールを含み、該レールはローラ本体又はローラを介して互いに移動できるように保持されている。本体２上のヒンジ４の間隔がより大きいと、この実施形態のレバー比に正の効果をもたらす。
【００２８】
図１１乃至図１４の例示的な実施形態の概略図にて、第１の例示的な実施形態のように、ドア３を上昇させ、上昇位置にてドア３に張力を掛ける力アキュムレータ、閉じ範囲にてドア３の下降を防ぐ遮断装置、及び下降位置にて閉じ方向へのドア３の移動を防ぐ遮断装置が配備される。
【００２９】
力(ちから)アキュムレータの更なる例示的な実施形態が図１５Ａ乃至図１５Ｃに示されて、上昇位置にてドア３に予め張力を掛ける。概略的に示された力アキュムレータは、例えば、本体２の側壁２０の一方または両方の内側に固定されたガイド経路３０を含む。ガイドローラ３１はガイド経路３０に沿って転がり、ばね３２により力が加えられ、ばね３２は、下部ヒンジ４の領域の端部で支持されて、図１５Ａによる上昇位置から図１５Ｂによるわずかに下降した位置へのドア３の移動中に、ガイドローラ３１はガイド経路３０に沿って移動し、ばね３２が圧縮される。図１５Ｃに示すように、ばね３２はさらに下げることで、より強く圧縮される。ばね３２は、ドア３の上昇中に再び弛緩し、その結果、ばね力が解放される。そのようなばね３２の配置は、図１５Ｃによる下降位置で、キャッチ受けをガイド経路３０に設けることができるという利点を有し、ドア３は下降位置にてラッチされる。従って、ユーザは、ドア３をラッチし、その後、両手で物体をホルダ６から取り外したり、物体をホルダ６に導入することができる。そのようなキャッチ装置は、ドア３が再び上昇することなく、下降位置でドア３を解放することができるように、例示されたすべての例示的な実施形態で使用することができる。ラッチの代わりに、ドア３の上昇を遮断するロック装置を使用することもできる。このようなラッチまたはロック装置は、キャッチフック、キャッチ受け、ロックボルトなどの機械的要素を使用して形成でき、キャッチ装置の位置は本体２内にて可変的に選択される。
【００３０】
図１６Ａにて、図１５の実施形態はガイド経路３０が調整可能であるように修正されて、本体２に対してドア３を上昇させるばね３２の形態の力アキュムレータの力を設定する。この目的から、ガイド経路３０は、水平方向に２つの線形位置決め要素３３に沿って移動可能であり、例えば、実線で示されるこの第１の位置から、ガイド経路３０’が破線で示される位置に移動する。従って、ばね３２は圧縮され、より大きな力がドア３を持ち上げるために作用する。線形位置決め要素は、線形ガイドとして形成されることが好ましい。調整は、ばね３２を圧縮または緩和するために連続的に行われる。
【００３１】
代替の実施形態が図１６Ｂに示され、ドアを上昇させるばねの力を設定することができる。ガイド経路３０の調整に代えて、例えば、ばね３２を圧縮または弛緩させる回転可能なレバー又はスライドなどの切替え要素３５が設けられている。この目的から、切替え要素３５は、ピボット軸３６を介して、破線で示される切替え要素３５’の位置に移動する。例えば、ねじ歯車、連結歯車、湾曲歯車などの他の調整機構を設けて、ドア３を上昇させるための張力掛けを設定するためのばね３２の力を変える。更に、図１６Ａ及び図１６Ｂの２つの実施形態は互いに組み合わされる。
【００３２】
更に、示された例示的な実施形態において、自己引込み器が配備されて、該自己引込み器によってドア３は上昇した第１の開き位置から閉じ位置に回動する。そのような自己引込み器は、ドア３を第１の開き位置から閉じ位置に自動的に移動させる力(ちから)アキュムレータ、特にばねを含む。衝撃音を避けるため、閉じ位置に到達する前にダンパが配備されて、大きな音を出さずにドア３を自動的に動かすことができる。自己引込み器に加えて、ドア３を上昇させる力アキュムレータが用いられて、ドア３が上昇した第１の開き位置への自動移動を可能にし、その後、ドア３の閉じ位置への回動を自動的に実施する。次に、ユーザはドア３を下降位置から回転させることができ、これはロックを解除するか、ラッチを解除する必要がある。しかし、自動的に上昇位置に移動し、上昇位置にて閉じ位置に移動する。
示された例示的な実施形態において、ドア３は力(ちから)アキュムレータによって予め張力を機械的に掛けられる。勿論、対応する動き用の駆動部、特に電動駆動部を提供することも可能である。対応する動きは、例えば、スピンドルを介して生成されて、その上で、スピンドルナットは、本体２又はドア３上の構造ユニットを使用して動かされ固定される。他の駆動装置も用いられ得る。
【符号の説明】
【００３３】
１      戸棚
２      本体
３      ドア
４      ヒンジ
５      ブラケット
６      ホルダ
７      ガイドレール
８      ハンドル要素
９      キャリッジ
１０    遮断ブラケット
１１    レバー
１２    ストッパ要素
１３    引きケーブル
１４    固定要素
１５    偏向ローラ
１６    偏向ローラ
１７    偏向ローラ
１８    釣合い錘
１９    キャリッジ
２０    側壁
２１    後壁
２２    底部パネル
２３    頂部パネル
２４    レール
３０、３０’ガイド経路
３１    ガイドローラ
３２    ばね
３３    位置決め要素
３５、３５’ 切替え要素
３６    ピボット軸
４０    ヒンジ部
４１    ヒンジ部
４２    ドラッグレバー
７０    レール
【図１】
2020509269.tif 000003
【図２】
2020509269.tif 000004
【図３】
2020509269.tif 000005
【図４】
2020509269.tif 000006
【図５】
2020509269.tif 000007
【図６】
2020509269.tif 000008
【図７】
2020509269.tif 000009
【図８】
2020509269.tif 000010
【図９】
2020509269.tif 000011
【図１０】
2020509269.tif 000012
【図１１Ａ】
2020509269.tif 000013
【図１１Ｂ】
2020509269.tif 000014
【図１２Ａ】
2020509269.tif 000015
【図１２Ｂ】
2020509269.tif 000016
【図１３Ａ】
2020509269.tif 000017
【図１３Ｂ】
2020509269.tif 000018
【図１４Ａ】
2020509269.tif 000019
【図１４Ｂ】
2020509269.tif 000020
【図１５Ａ】
2020509269.tif 000021
【図１５Ｂ】
2020509269.tif 000022
【図１５Ｃ】
2020509269.tif 000023
【図１６Ａ】
2020509269.tif 000024
【図１６Ｂ】
2020509269.tif 000025
【国際調査報告】
2020509269.tif 000026
2020509269.tif 000027
2020509269.tif 000028
2020509269.tif 000029